(57)【要約】【課題】枕の挿出入作業を容易迅速で簡便化して省力化を有利に可能にし、しかも、枕の使用中に、カバー内での回動、捻じれ、長さ方向への移動、枕挿出入口からの枕のはみ出しや飛び出し等を確実に防止して、枕を安全に保形して、安心して睡眠がとれ、しかも枕自体及びカバーの損傷を防止し交換頻度を極小化する経済的にも優れた枕カバーを提供する【解決手段】直方体の枕を挿出入可能に覆装する枕カバーであって、前記枕の表面覆部と裏面覆部とを有し、裏面覆部の長軸方向の中心より側方がわの位置に、裏面覆部の側方に外開口部を向け、裏面覆部の内側に内開口部を向けた二重構造の枕挿出入口を裏面覆部の幅方向に亘り形成したことを特徴とする枕カバー。  前記裏面覆部の前記外開口部を向けた方向の一側端部から外開口部までの長さを前記枕の厚みサイズを超える長さにし、前記枕挿出入口の外開口部から内開口部までの間の二重領域の長さを前記枕の厚みサイズを超える長さにする。【選択図】図１
0003172630.tif 000002
【実用新案登録請求の範囲】
【請求項１】
直方体の枕（Ｍ）を挿出入可能に覆装する枕カバーＭＣであって、前記枕Ｍの表面覆部（１００）と裏面覆部（２００）とを有し、裏面覆部（２００）の長軸方向（Ｌ）の中心（Ｌｃ）より側方がわの位置おいて、裏面覆部（２００）の側方に外開口部（３０１）を向け、裏面覆部（２００）の内側に内開口部（３０２）を向けた二重構造の二重領域部（２００Ｗ）を形成した枕挿出入口（３００）を裏面覆部（２００）の幅方向Ｗに亘り設けたことを特徴とする枕カバー。
【請求項２】
前記裏面覆部（２００）の前記外開口部（３０１）を向けた方向の一側端部から外開口部（３０１）までの長さ（Ｌ１）を前記枕Ｍの厚みサイズ（Ｔ）を超える長さにしたことを特徴とする請求項１に記載の枕カバー。
【請求項３】
前記枕挿出入口（３００）の外開口部（３０１）から内開口部（３０２）までの間の二重領域部（２００Ｗ）の長さ（Ｌ２）を前記枕の厚みサイズ（Ｔ）を超える長さにしたことを特徴とする請求項１に記載の枕カバー。
【考案の詳細な説明】
【技術分野】
【０００１】  本考案は、直方体の枕を迅速に挿出入する枕カバーに関するものである。
【背景技術】
【０００２】  各種医療機関、ホテル、介護施設等で使用する寝具おいて、通常、直方体の枕を覆装する枕カバーは、枕の挿出入を迅速に行うことは勿論、使用中にずれが無く、枕を安定して保形する機能が要求される。
従来の枕カバーは、表面覆部と裏面覆部とを有し、表面覆部と裏面覆部の幅サイズは枕の幅サイズに厚みサイズを加えたサイズにし、長さサイズは枕の長さサイズに厚みサイズを加えたサイズに折り込み封代を加えたサイズにして、折り込み封代の一端部の幅方向に亘って枕挿出入口を設けた袋状のカバーである。
つまりこの従来の枕カバーは枕挿出入口から直方体の枕を全部挿入し、その後折り込み封代の部分を裏面覆部側にその全部を折り込んで三重に形成して封止し、枕が飛び出ない様にするのである。【０００３】  しかし、この従来の枕カバーは、枕を挿入した後に、折り込み封代を三重に折り込む作業及び使用後のカバー外し作業が煩雑で多くの労力と時間がかかる。
更に枕を使用中に、カバー内の枕が回動したり、捻じれたり、長さ方向に容易に移動して折り込み封代の三重折り込み部からはみ出したりして、枕を安全に保形することが困難であった。このため安眠に与える影響がきわめて大きい。しかも枕自体の損傷は勿論、カバーの損傷が著しく交換頻度が高く甚だ不経済である。
【考案の概要】
【考案が解決しようとする課題】
【０００４】  本考案は、枕の挿出入作業を容易迅速で簡便化して省力化を有利に可能にし、しかも、枕の使用中に、カバー内での回動、捻じれ、長さ方向への移動、枕挿出入口からの枕のはみ出しや飛び出し等を確実に防止して、枕を安全に保形して、安心して睡眠がとれ、しかも枕自体及びカバーの損傷を防止し交換頻度を極小化する経済的にも優れた枕カバーを提供するものである。
【課題を解決するための手段】
【０００５】  本考案は上記課題を満足する枕カバーでありその特徴とするところは、次の（１）〜（３）の通りである。
（１）．直方体の枕（Ｍ）を挿出入可能に覆装する枕カバー（ＭＣ）であって、前記枕Ｍの表面覆部（１００）と裏面覆部（２００）とを有し、裏面覆部（２００）の長軸方向（Ｌ）の中心（Ｌｃ）より側方がわの位置おいて、裏面覆部（２００）の側方に外開口部（３０１）を向け、裏面覆部（２００）の内側に内開口部（３０２）を向けた二重構造の二重領域部（２００Ｗ）を形成した枕挿出入口（３００）を裏面覆部（２００）の幅方向（Ｗ）に亘り設けたことを特徴とする枕カバー。
（２）．前記裏面覆部（２００）の前記外開口部（３０１）を向けた方向の一側端部から外開口部（３０１）までの長さ（Ｌ１）を前記枕Ｍの厚みサイズ（Ｔ）を超える長さにしたことを特徴とする前記（１）に記載の枕カバー。
（３）．前記枕挿出入口（３００）の外開口部（３０１）から内開口部（３０２）までの間の二重領域部（２００Ｗ）の長さ（Ｌ２）を前記枕の厚みサイズ（Ｔ）を超える長さにしたことを特徴とする前記（１）または（２）に記載の枕カバー。
【考案の効果】
【０００６】  本考案の枕カバーは、枕の挿出入作業を容易迅速で簡便化して省力化を有利に可能にし、しかも、枕の使用中に、頭が色々動いても、カバー内で枕が、回動したり、捻じれたり、長さ方向に移動したり、枕挿出入口からはみ出したり、飛び出したりすることを確実に防止して、枕を安全に保形して、安眠できるとともにる枕自体及びカバーの損傷を防止し交換頻度を極小化する経済的にも優れた枕カバーである。
【図面の簡単な説明】
【０００７】
【図１】本考案の実施例１の枕カバーを示す表面説明図（１）と裏面説明図である。
【図２】本考案の実施例１の枕カバーに枕を枕挿出入口からの挿入状態順を示す説明図であり（１）は枕の端部を残し他の全部を中に入れた状態を示し、（２）は枕の端部を中に入れる途中の状態を示し、（３）は枕の端部を全部入れた状態を示す。
【考案を実施するための最良の形態】
【０００８】考案を実施するための最良の形態を以下の実施例により詳細に紹介する。
【実施例１】
【０００９】  実施例１を図１〜図２に示す。
図１において、本実施例の枕カバーＭＣは、直方体の枕Ｍを簡単に挿出入可能に覆装する表面覆部１００と裏面覆部２００と枕挿出入口３００とからなる。【００１０】表面覆部１００は、直方体の枕Ｍの表面を覆い、裏面覆部２００は、直方体の枕Ｍの表面を覆うもので枕挿出入口３００を形成して成る。【００１１】表面覆部２００と裏面覆部３００の幅サイズＷ１０は枕の幅サイズＷに厚みサイズＴを加えたサイズに若干余裕代を加えたサイズにし、長さサイズＬ１０は枕の長さサイズＬに厚みサイズＴを加えたサイズに若干余裕代を加えたサイズにしてある。【００１２】  裏面覆部２００に設ける枕挿出入口３００は、裏面覆部２００の幅方向Ｗに亘り二重構造で枕が挿通可能な二重領域部２００Ｗを形成したもので、裏面覆部１００の長軸方向Ｌの中心Ｌｃより側方がわの位置で、開口を裏面覆部１００の側方に向けた外開口部３０１と、開口を裏面覆部２００の内側に向けた内開口部３０２とを有し、外開口部３０１と内開口部３０２との間に二重構造の前記二重領域部２００Ｗを形成したものである。【００１３】そしてこの枕挿出入口３００において、前記外開口部３０１は、裏面覆部２００の一側端部からの長さＬ１を前記枕の厚みサイズＴを超える長さにし、外開口部３０１から内開口部３０２までの間の二重領域の長さＷＬを前記枕の厚みサイズＴを超える長さにしてある。【００１４】図２は、前記枕カバーＭＣに直方体の枕Ｍを枕挿出入口３００からの枕挿入作業状態順を示す。
図２（１）には、手順１として、直方体の枕Ｍの長手方向の側部Ｍ１を残し他の全部Ｍ２を中に入れた状態を示し、図２（２）には、手順２として、直方体の枕Ｍの前記側部Ｍ１を中に入れる途中の状態を示し、図２（３）には、手順３として直方体の枕Ｍの前記側部Ｍ１も全部中に入れた状態を示す。枕挿出作業は単純にこの作業の逆順で行えばよい。
これにより枕挿出入作業は、容易迅速で簡便化されたもので省力化を有利に可能にする。
更に、直方体の枕Ｍは表裏面、前後面、左右面の全てを枕カバーＭＣの表面覆部１００と裏面覆部２００により拘束することが出来るので、枕使用中に直方体の枕Ｍがカバー内で回動、捻じれ、長さ方向への移動、枕挿出入口３００からの枕のはみ出しや飛び出し等を確実に防止する。
よって枕を安全に保形して、安心して睡眠がとれ、しかも枕自体及びカバーの損傷を防止し交換頻度を極小化する経済的にも優れた枕カバーである。
【産業上の利用可能性】
【００１５】本考案は、前述のように優れた効果を呈するものであり、医療機関、ホテル、旅館、一般家庭、老人ホーム、等での枕カバーに活用され、この種産業に多大な貢献をすることができるものである。
【符号の説明】
【００１６】Ｍ：直方体の枕
ＭＣ：枕カバー
１００：表面覆部
２００：裏面覆部
３００：枕挿出入口
３０１：外開口部
３０２：内開口部
２００Ｗ：二重領域部
【図１】
0003172630.tif 000003
【図２】
0003172630.tif 000004